(57)【要約】【課題】本発明は、加入者宅内に異常が発生した場合、常にその異常を迅速かつ正確にその異常を警備会社／情報センターへ通知することができる警報情報通知システムを提供することにある。【解決手段】加入者装置１２０が設置してある加入者宅１００において異常が発生すると、その異常を検出装置１３０が検出し、その異常情報と加入者装置１２０を識別するための識別情報とから警報情報を生成し、制御チャネルを介して移動交換局２０１へ送信する。移動交換局２０１は、制御チャネルを介して送信されてくる情報の中から警報情報を検出し、その警報情報に含まれる識別情報に対応する警備会社／情報収集センター３００を記憶装置から検索し、検索した警備会社／情報収集センター３００へネットワーク４００を介して警報情報に基づいた異常情報を通知する。【選択図】　図１
2004064378.tif 000002
【特許請求の範囲】
【請求項１】
加入者装置と交換局との間で制御情報を送受信するための制御チャネルを有する通信システムを用いた警報情報通知システムであって、
加入者宅の異常を検出し、異常検出情報を送信する異常検出手段と、
前記異常検出情報と、加入者装置を識別する識別情報とから成る警報情報を生成し、この警報情報を前記制御チャネルを用いて交換局へ送信する加入者装置とを有する加入者宅側と、
加入者装置の識別情報と所定の通知先とが対応付けられて記憶されている記憶手段と、
前記制御チャネルを用いて送信されてくる情報の中から警報情報を検出する警報情報検出手段と、
前記警報情報検出手段で警報情報が検出された場合、検出された警報情報の識別情報に対応する所定の通知先を前記記憶手段から検索し、この検索された所定の通知先に前記異常検出情報に基づいた異常情報を通知する手段と
を有する交換局と
を有することを特徴とする警報情報通知システム。
【請求項２】
前記交換局は、
加入者装置と交換局との間の制御チャネルの異常を監視する制御チャネル監視手段と、
前記制御チャネル監視手段で、制御チャネルの異常が検出された場合、異常の発生した加入者装置の識別情報に対応する所定の通知先を前記記憶手段から検索し、この検索された所定の通知先に異常を通知する手段と
を更に有することを特徴とする請求項１に記載の警報情報通知システム。
【請求項３】
加入者装置と交換局との間で制御情報を送受信するための制御チャネルを有する通信システムを用いて、加入者宅の異常を通知する警報情報通知システムにおける加入者装置であって、
加入者宅に設けられた異常検出装置からの加入者宅の異常情報を受信し、この異常情報と、加入者装置を識別する識別情報とから成る警報情報を生成し、この警報情報を前記制御チャネルを用いて交換局へ送信する手段を有することを特徴とする加入者装置。
【請求項４】
加入者装置と交換局との間で制御情報を送受信するための制御チャネルを有する通信システムを用いて、加入者宅の異常を通知する警報情報通知システムにおける交換局であって、
加入者装置の識別情報と所定の通知先とが対応付けられて記憶されている記憶手段と、
前記加入者装置から前記制御チャネルを用いて送信されてくる情報の中から警報情報を検出する警報情報検出手段と、
前記警報情報検出手段で警報情報が検出された場合、検出された警報情報の識別情報に対応する所定の通知先を前記記憶手段から検索し、この検索された所定の通知先に前記異常検出情報に基づいた異常情報を通知する手段と
を有することを特徴とする交換局。
【請求項５】
前記交換局は、
加入者装置と交換局との間の制御チャネルの異常を監視する制御チャネル監視手段と、
前記制御チャネル監視手段で、制御チャネルの異常が検出された場合、異常の発生した加入者装置の識別情報に対応する所定の通知先を前記記憶手段から検索し、この検索された所定の通知先に異常を通知する手段と
を更に有することを特徴とする請求項４に記載の交換局。
【請求項６】
加入者装置と交換局との間で制御情報を送受信するための制御チャネルを有する通信システムを用いた警報情報通知方法であって、
加入者宅側において、
加入者宅の異常を検出した場合、この異常情報に加入者宅の識別加入者装置を識別する識別情報を含めて警報情報を生成するステップと、
前記警報情報を前記加入者装置から前記制御チャネルを介して前記交換局へ送信するステップと、
交換局において、
前記加入者装置から、前記制御チャネルを介して送信される情報の中から警報情報を検出するステップと、
前記警報情報が検出された場合、検出された警報情報の識別情報に対応する所定の通知先を、加入者装置の識別情報と所定の通知先とが対応付けて前記記憶装置に記憶された記憶装置から検索するステップと、
前記検索された所定の通知先に前記異常検出情報に基づいた異常情報を通知するステップと
を有することを特徴とする警報情報通知方法。
【請求項７】
前記交換局は、
前記加入者装置の制御チャネルの異常を監視するステップと、
前記制御チャネルの異常が検出された場合、異常の発生した加入者装置の識別情報に対応する所定の通知先を検索する手段と、
前記検索された所定の通知先に異常を通知するステップと
を更に有することを特徴とする請求項６に記載の警報情報通知方法。
【発明の詳細な説明】
【０００１】
【発明が属する技術分野】
本発明は、加入者宅における異常発生時の通知を確実に行うことが可能な警報情報通知システムに関し、特に制御チャネルを介して警報情報の通知を行う警報情報通知システムに関する。
【０００２】
【従来技術】
従来の警報情報通知システムとして、特開平９−２６１３７６号公報には、加入者宅で、火災、ガス漏れ、漏電等の異常が発生した場合、その異常を有線回線、又は無線回線を介して、予め設定しておいた番号へ発呼を行い、発呼先である警備会社／情報収集センター等に通知するシステムが提案されている。また、特開２００１―１２６１７３号公報に開示されているホームセキュリティ情報通知システムにおいては、加入者宅で異常が発生した場合、その異常を有線回線、又は無線回線を介して、電子メールにて移動端末等に送信するシステムが提案されている。
【０００３】
【発明が解決しようとする課題】
上述した従来技術では、回線に何らかの障害が起きて発呼ができない場合、又は回線が使用中であった場合、加入者宅で発生した異常の対応が遅れてしまうおそれがある。
【０００４】
本発明は、上記のような問題点を解決するためになされたもので、加入者宅内に異常が発生した際、常にその異常を迅速かつ正確に警備会社／情報センターへ通知することができる警報情報通知システムを提供することにある。
【０００５】
また、既存のＣＤＭＡ技術を用いたＷＬＬシステムの加入者局と基地局との間で制御情報を送受信するための制御チャネルを使用することにより手間やコストを掛けずに警報情報通知システムを構築することを目的とする。
【０００６】
【課題を解決するための手段】
上記課題を解決するための第一の発明は、加入者装置と交換局との間で制御情報を送受信するための制御チャネルを有する通信システムを用いた警報情報通知システムであって、
加入者宅の異常を検出し、異常検出情報を送信する異常検出手段と、
前記異常検出情報と、加入者装置を識別する識別情報とから成る警報情報を生成し、この警報情報を前記制御チャネルを用いて交換局へ送信する加入者装置とを有する加入者宅側と、
加入者装置の識別情報と所定の通知先とが対応付けられて記憶されている記憶手段と、
前記制御チャネルを用いて送信されてくる情報の中から警報情報を検出する警報情報検出手段と、
前記警報情報検出手段で警報情報が検出された場合、検出された警報情報の識別情報に対応する所定の通知先を前記記憶手段から検索し、この検索された所定の通知先に前記異常検出情報に基づいた異常情報を通知する手段と
を有する交換局と
を有することを特徴とする。
【０００７】
上記課題を解決するための第二の発明は、上記第一の発明において、前記交換局は、
加入者装置と交換局との間の制御チャネルの異常を監視する制御チャネル監視手段と、
前記制御チャネル監視手段で、制御チャネルの異常が検出された場合、異常の発生した加入者装置の識別情報に対応する所定の通知先を前記記憶手段から検索し、この検索された所定の通知先に異常を通知する手段と
を更に有することを特徴とする。
【０００８】
上記課題を解決するための第三の発明は、加入者装置と交換局との間で制御情報を送受信するための制御チャネルを有する通信システムを用いて、加入者宅の異常を通知する警報情報通知システムにおける加入者装置であって、
加入者宅に設けられた異常検出装置からの加入者宅の異常情報を受信し、この異常情報と、加入者装置を識別する識別情報とから成る警報情報を生成し、この警報情報を前記制御チャネルを用いて交換局へ送信する手段を有することを特徴とする。
【０００９】
上記課題を解決するための第四の発明は、加入者装置と交換局との間で制御情報を送受信するための制御チャネルを有する通信システムを用いて、加入者宅の異常を通知する警報情報通知システムにおける交換局であって、
加入者装置の識別情報と所定の通知先とが対応付けられて記憶されている記憶手段と、
前記加入者装置から前記制御チャネルを用いて送信されてくる情報の中から警報情報を検出する警報情報検出手段と、
前記警報情報検出手段で警報情報が検出された場合、検出された警報情報の識別情報に対応する所定の通知先を前記記憶手段から検索し、この検索された所定の通知先に前記異常検出情報に基づいた異常情報を通知する手段と
を有することを特徴とする。
【００１０】
上記課題を解決するための第五の発明は、上記第四の発明において、前記交換局は、
加入者装置と交換局との間の制御チャネルの異常を監視する制御チャネル監視手段と、
前記制御チャネル監視手段で、制御チャネルの異常が検出された場合、異常の発生した加入者装置の識別情報に対応する所定の通知先を前記記憶手段から検索し、この検索された所定の通知先に異常を通知する手段と
を更に有することを特徴とする。
【００１１】
上記課題を解決するための第六の発明は、加入者装置と交換局との間で制御情報を送受信するための制御チャネルを有する通信システムを用いた警報情報通知方法であって、
加入者宅側において、
加入者宅の異常を検出した場合、この異常情報に加入者宅の識別加入者装置を識別する識別情報を含めて警報情報を生成するステップと、
前記警報情報を前記加入者装置から前記制御チャネルを介して前記交換局へ送信するステップと、
交換局において、
前記加入者装置から、前記制御チャネルを介して送信される情報の中から警報情報を検出するステップと、
前記警報情報が検出された場合、検出された警報情報の識別情報に対応する所定の通知先を、加入者装置の識別情報と所定の通知先とが対応付けて前記記憶装置に記憶された記憶装置から検索するステップと、
前記検索された所定の通知先に前記異常検出情報に基づいた異常情報を通知するステップと
を有することを特徴とする。
【００１２】
上記課題を解決するための第七の発明は、上記第六の発明において、前記交換局は、
前記加入者装置の制御チャネルの異常を監視するステップと、
前記制御チャネルの異常が検出された場合、異常の発生した加入者装置の識別情報に対応する所定の通知先を検索する手段と、
前記検索された所定の通知先に異常を通知するステップと
を更に有することを特徴とする。
【００１３】
【発明の実施の形態】
本発明の第一の実施形態を図面を用いて説明する。
【００１４】
図１は本発明の警報情報通知システムの概略図であり、図２は加入者装置の詳細図であり、図３は記憶装置が記憶しているデータのデータフォーマットの一例である。
【００１５】
図１に示すように、本形態の警報情報通知システムの加入者宅１００には、加入者端末１１０と、加入者装置１２０と、検出装置１３０とが設置されている。
【００１６】
更に警報情報通知システムには、加入者無線基地局２０１と、基地局制御装置２０２と、移動交換局２０４と、記憶装置２０３とが設置されている。そして、警備会社／情報収集センター３００と移動交換局２０４とは、ネットワーク４００（例えば、インターネット）で相互に接続されている。
【００１７】
続いて、各装置の構成について説明する。
【００１８】
加入者端末１１０は、ＣＤＭＡ方式のＷＬＬシステムに加入している電話機である。
【００１９】
検出装置１３０は、加入者宅１００にて発生した各種異常（例えば、火災、ガス漏れ、水漏れ、漏電、ドアロック解除等）を検出するものであり、その個数は目的に応じて幾つ有っても良い。更に検出装置１３０は、加入者宅１００で異常が発生した際、検出した異常に対応する異常検出情報を送信するものである。尚、この異常検出情報のフォーマットは、例えば、ビット列を持ったデータに、異常内容を示すビットを定義しておき、そのビットで異常内容等が認識できるようであれば如何なるフォーマットであっても良い。
【００２０】
加入者装置１２０は、図２に示すように、異常検出情報取込部１２１と、警報情報生成部１２２と、送信部１２３とから構成されている。
【００２１】
異常検出情報取込部１２１は、検出装置１３０から送信された異常検出情報を取り込むものである。
【００２２】
警報情報生成部１２２は、異常検出情報取込部１２１が取り込んだ異常検出情報と、加入者装置１２０を識別するための識別情報とから警報情報を生成するものである。
【００２３】
送信部１２３は、警報情報生成部１２２が生成した警報情報をＣＤＭＡの制御チャネルを介して送信するものである。
【００２４】
無線基地局２０１は、送信部１２３から送信された警報情報を受信し、この受信した警報情報を基地局制御装置２０２に転送するものである。尚、無線基地局２０１は既存のＣＤＭＡ方式のＷＬＬシステムを使用していることから詳細な説明は省略する。
【００２５】
基地局制御装置２０２は、無線基地局２０１から送信された警報情報を受信後、その警報情報を移動交換局２０４に転送するものである。尚、基地局制御装置２０２は、無線基地局２０１同様、既存のＣＤＭＡ方式のＷＬＬシステムを使用していることから詳細な説明は省略する。
【００２６】
記憶装置２０３は、加入者装置１２０を識別するための識別情報と所定の通知先が対応付けられたデータが記憶されているものであり、例えば、ＣＤＭＡ方式のＷＬＬシステムの場合には、加入者の情報が記憶されているＨＬＲ（ＨｏｍｅＬｏｃａｔｉｏｎ　Ｒｅｇｉｓｔｅｒ）等である。この記憶装置２０３に記憶されているデータのデータフォーマットの一例を図３に示す。
【００２７】
移動交換局２０４は、制御チャネルを介して送信されてくる情報の中から警報情報を検出する検出部２０５と、警報情報が検出された場合、検出された警報情報の識別情報に対応する警備会社／情報収集センター３００を記憶装置２０３から検索する検索部２０６と、この検索した警備会社／情報収集センター３００に警報情報に基づいた異常情報を通知する通知部２０７とを有している。
【００２８】
次に、第一の実施形態における加入者宅１００で異常が発生した場合の警報情報通知の動作について図４を用いて説明する。
【００２９】
加入者宅１００において異常が発生すると、その異常を検出装置１３０が検出する（ステップＡ１）。そして、検出装置１３０は、検出した異常に対応した異常検出情報を加入者装置１２０に送信する（ステップＡ２）。
【００３０】
加入者装置１２０の異常検出信号取込部１２１は、検出装置１３０から送信された異常検出情報を取り込み、警報情報生成部１２２に送信する（ステップＡ３）。
【００３１】
警報情報生成部１２２は、受信した異常検出情報と、加入者装置１２０を識別するための識別情報とから警報情報を生成する（ステップＡ４）。
【００３２】
送信部１２３は、この警報情報を制御チャネルを介して移動交換局２０４へ送信する（ステップＡ５）。
【００３３】
一方、移動交換局２０４の検出部２０５は、制御チャネルを介して送信されてくる情報の中から警報情報を検出する（ステップＡ６）。
【００３４】
検出部２０５が警報情報を検出すると、検索部２０６が、その警報情報に含まれる識別情報に対応する警備会社／情報収集センター３００を記憶装置２０３から検索する（ステップＡ７）。
【００３５】
通知部２０７がその検索した警備会社／情報収集センター３００へネットワークを介して警報情報に基づいた異常情報を通知する（ステップＡ８）。
【００３６】
上記第一の実施形態では、加入者装置と交換局との間で制御情報を送受信するための制御チャネルを用いて加入者宅の異常を通知しているので、例えば、加入者が第三者との通話中のために回線が使用できない場合、又は回線に何らかの障害が発生して発呼ができなくても、その異常を警備会社／情報収集センターに通知することが可能となる。
【００３７】
本発明に係る第二の実施形態について説明する。
【００３８】
図５に示すように、移動交換局２０４は、制御チャネルを監視する監視部２０８と、制御チャネルの異常が発生した場合、異常の発生した加入者装置の識別情報に対応する警備会社／情報収集センター３００を記憶装置２０３から検索する検索部２０６と、その検索した警備会社／情報収集センター３００に通知する通知部２０７とを有している。
【００３９】
第二の実施形態も第一の実施形態と同様に、本発明の警報情報通知システムの加入者宅１００に、加入者端末１１０と、加入者装置１２０と、検出装置１３０とが設置され、更に、本発明の警報情報通知システムに、加入者無線基地局２０１と、基地局制御装置２０２と、移動交換局２０４と、移動交換局２０４とネットワーク４００で相互に接続されている警備会社／情報収集センター３００とから構成されている。
【００４０】
このため本実施形態では、上述した第一の実施形態と同一の構成部分においては同一の符号を付して、詳細な説明を省略する。
【００４１】
次に、第二の実施形態における交換局２０４の監視動作について図６を用いて説明する。
【００４２】
監視部２０８は、制御チャネルの異常を監視している（Ｂ１）。
【００４３】
異常が発生した場合、検索部２０６は加入者装置の識別情報に対応する警備会社／情報収集センター３００を記憶装置２０３から検索する。（Ｂ２）
通知部２０７は、検索部２０６が検索した警備会社／情報収集センター３００へ異常が発生したことを通知する（Ｂ３）。
【００４４】
警備会社／情報収集センター３００は通知を受けると、メンテナンスをする（Ｂ４）。
【００４５】
上記第二の実施形態では監視部２０８が制御チャネルを監視しているため、制御チャネルに異常が発生した場合は所定の通知先に通知し、制御チャネルの復旧を行うので、常に迅速かつ正確な警報情報を通知することが可能となる。
【００４６】
上記実施形態では制御チャネルを用いた通信システムとして、ＣＤＭＡ方式を用いたＷＬＬシステムを例にしたが、発呼とは別に制御情報を送受信している制御チャネルを有している通信システムであれば、どのようなものであっても良い。
【００４７】
【発明の効果】本発明によれば、加入者装置と交換局との間で制御情報を送受信するための制御チャネルを用いて加入者宅の異常を通知しているので、例えば、加入者が第三者との通話中のために回線が使用できない場合、又は回線に何らかの障害が発生して発呼ができなくても、その異常を警備会社／情報収集センターに通知することができる。
【００４８】
又、本発明は、制御チャネルを監視しており、異常が発生した場合には所定の通知先に通知し、復旧を行うので、常に迅速かつ正確な警報情報を通知することができる。
【００４９】
更に本発明によれば、既存のＣＤＭＡ方式のＷＬＬシステムのように制御チャネルを有するシステムを用いて警報情報を通知しているので、簡単で、しかも低コストにて警報情報通知システムを構築することができる。
【図面の簡単な説明】
【図１】本発明に係る第一の実施形態における警報情報送受信システムの概略図である。
【図２】加入者宅装置の詳細図である。
【図３】記憶装置が記憶しているデータのデータフォーマットの一例である。
【図４】本発明に係る第一の実施形態における警報情報通知システムの動作を説明するフローチャートである。
【図５】本発明に係る第二の実施形態における警報情報通知システムの概略図である。
【図６】本発明に係る第二の実施形態における制御チャネルの監視動作を説明するフローチャートである。
【符号の説明】
１００　　　加入者宅
１１０　　　加入者端末
１２０　　　加入者装置
１２１　　　異常検出情報取込部
１２２　　　警報情報生成部
１２３　　　送信部
１３０　　　検出装置
２０１　　　無線基地局
２０２　　　基地局制御装置
２０３　　　記憶装置
２０４　　　移動交換局
２０５　　　検出部
２０６　　　検索部
２０７　　　通知部
２０８　　　監視部
３００　　　警備会社／情報収集センター
４００　　　ネットワーク
【図１】
2004064378.tif 000003
【図２】
2004064378.tif 000004
【図３】
2004064378.tif 000005
【図４】
2004064378.tif 000006
【図５】
2004064378.tif 000007
【図６】
2004064378.tif 000008